(57)【要約】【課題】監視装置の監視対象の異常や監視機器の異常状態を検知したときその異常箇所あるいは異常内容とその対処方法を音あるいは、ＯＳＤで表示する監視機器を提供する。【解決手段】セキュリティナビ釦を押すと監視対象の異常情報とその対処方法をＯＳＤに表示し、そのメニューに従い操作することで、異常の原因や解決方法を提供する。【選択図】  図１
2004265180.tif 000002
【特許請求の範囲】
【請求項１】
監視対象から送られてくる監視情報を監視する監視機器装置において、
前記監視機器装置を操作する操作手段と、
前記監視対象から送られてくる監視情報の異常を検知する異常検知手段と、
前記異常検知手段により検知された監視対象の異常を報知する報知手段と、
前記報知手段の報知後前記操作手段が操作された時、前記報知した前記監視対象の監視情報の関連情報を表示する表示手段と、を備えたことを特徴とする監視機器装置。
【請求項２】
前記監視情報の関連情報を予め記憶した記憶手段を備えることを特徴とする請求項１に記載の監視機器装置。
【請求項３】
前記表示手段に表示された関連情報を選択する選択手段を備え、
前記関連情報には、前記報知手段によりなされた報知を停止する項目が含まれていることを特徴とする請求項１に記載の監視機器装置。
【請求項４】
前記選択手段により報知を停止する項目を選択すると報知が停止し、報知の理由と対処の方法の情報が前記表示手段に表示されることを特徴とする請求項３に記載の監視機器装置。
【請求項５】
前記監視対象は複数あり、前記監視対象が監視機器装置の外部と内部に存在し、内部に存在する監視対象は前記監視機器装置の各部の状態であることを特徴とする請求項１から４のいずれかに記載の監視機器装置。
【請求項６】
前記複数の監視対象から送られてくる監視情報にはどの監視対象からの監視情報であるかを示す識別情報が含まれていることを特徴とする請求項１から５のいずれかに記載の監視機器装置。
【請求項７】
前記監視対象から送られてくる監視情報の異常には監視対象の故障を含むことを特徴とする請求項１に記載の監視機器装置。
【請求項８】
前記監視対象から送られてくる監視情報は映像信号であることを特徴とする請求項１に記載の監視機器装置。
【請求項９】
複数の外部の機器から送られてくる監視情報を監視する監視機器装置において、
前記監視機器装置を操作する操作手段と、
前記複数の外部の機器から送られてくる監視情報の異常を検知する異常検知手段と、
前記異常検知手段により検知された監視情報の異常を報知する報知手段と、を有し、前記報知手段の報知後前記操作手段の操作により報知を停止することを特徴とする監視機器装置。
【請求項１０】
監視情報を監視する監視機器装置において、
前記監視機器装置を操作する操作手段と、
前記監視機器装置の内部の各部の状態の異常または故障を検知する異常検知手段と、
前記異常検知手段により検知された内部の各部の状態の異常または故障を報知する報知手段と、
前記報知手段の報知後前記操作手段の操作により前記異常または故障の関連情報を表示する表示手段と、を備えたことを特徴とする監視機器装置。
【発明の詳細な説明】
【０００１】
【発明の属する技術分野】
本発明は、防犯監視装置等の監視機器装置に関し、特に装置の操作性の改善技術に関する。
【０００２】
【従来の技術】
監視装置には用途により犯罪を防止することを目的とした防犯監視装置と各種の機器あるいはプラント等製造設備の各部の状態を監視する状況監視装置がある。いずれも社会的な必要性により社会の中に広く取り入れられている。防犯監視装置は主に銀行等の金融機関や、コンビニエンスストア等商店あるいは各種の事業体が活動するビルやマンション等で盛んに使用されている。また、機器や組織の活動状況を監視する状況監視装置も各種のプラントや工場等で広く用いられている。
監視装置は予測できない事象に対応することが必要であるので一般的に長期間連続して使用されることが多い。このような使用状況であるので監視機器に損耗が発生しがちである。これに関して、監視装置で使われる映像記録装置の内部の状況を検出して警告を表示する装置がある。ここでは、磁気記録再生装置で使用するテープを再生し映像欠落信号を検出して該テープの劣化を判定しテープの交換時期の警告をディスプレイ等に表示する方法が考えられている。（例えば、特開２０００−２３１７８０号公報を参照。）
更にプラント用の監視装置では、プラント装置の各部からプラントデータを収集し現状値テーブルに書込み、この現状値テーブルの内容とアラームリミットテーブルの内容を比較してアラームを発し、オペレータからの要求があるとそのアラームに対応する画面番号を出力する。（例えば、特開平５−２３１８８４号公報を参照。）
【０００３】
【特許文献１】
特開２０００−２３１７８０号公報
【特許文献２】
特開平５−２３１８８４号
【０００４】
【発明が解決しようとする課題】
特許文献１では磁気記録再生装置のテープの劣化を判定しテープの交換時期を表示、または警告するものである。ここでは、テープの交換時期についてのみ警告するだけであり、交換時期以外の関連する項目例えばテープ劣化の原因が単に使用回数が多いことによるものかテープの種類が適切でなかった為に劣化が発生したのかなどのテープ交換時期と関連する情報を使用者に伝える配慮がされていない。
【０００５】
特許文献２では監視装置の表示部にアラームが表示され、オペレータが要求するとそのアラームに対応した画面番号が出力されるのみであり、画面番号情報というひとつの種類の情報を出力しているに過ぎず、この監視装置ではいくつかの異なった種類の対象に対して監視し、異なった種類の異常状態を検出し、その異常に対する異なった種類の対処情報の関連情報を出力することはできなかった。そこで、本発明の目的は異なった種類の対象を監視し、監視対象から異常を検出した場合、監視機器装置の使用者が操作部を操作することにより監視対象ごとに適切な対応方法が表示されスムーズな対応ができる監視機器装置を提供することにある。
【０００６】
【課題を解決するための手段】
上記課題を解決するために本発明では、監視対象から送られてくる監視情報を監視する監視機器装置において、監視機器装置を操作する操作手段と、監視対象から送られてくる監視情報の故障を含む異常を検知する異常検知手段と、異常検知手段により検知された監視対象の異常を音、光、あるいはＯＳＤ（Ｏｎ  Ｓｃｒｅｅｎ  Ｄｉｓｐｌａｙ）等で報知する報知手段とを有し、報知手段の報知後操作手段が操作された時、報知した監視対象の監視情報の関連情報をＯＳＤ等で表示するようにした。
【０００７】
また、本発明では監視情報の関連情報を予め記憶した記憶手段を備えるとともに、表示手段に表示された関連情報を選択する選択手段を備え、関連情報には、報知手段によりなされた報知を停止する項目が含まれており、選択手段により報知を停止する項目を選択すると報知が停止し、報知の理由と対処の方法あるいは解決方法の情報が表示されるようにした。
【０００８】
また、本発明では監視対象は複数あり、監視対象が監視機器装置の外部と内部に存在し、内部に存在する監視対象は監視機器装置の各部の状態であり、また複数の監視対象から送られてくる監視情報にはどの監視対象からの監視情報であるかを示す識別情報（故障の場所等）が含まれているようにした。
【０００９】
また、本発明では監視対象から送られてくる監視情報として映像信号を用いるようにした。
【００１０】
また、本発明では複数の外部の機器から送られてくる監視情報の異常を検知する異常検知手段により検知された監視情報の異常を報知する報知手段を有し、異常報知手段の報知後操作釦等の操作手段の操作により報知を停止するようにした。
【００１１】
また、本発明では監視機器装置の内部の各部の状態の異常または故障を検知する異常検知手段により検知された内部の各部の状態の異常または故障を報知する報知手段を有し、異常報知手段の報知後操作手段の操作により異常または故障の関連情報（故障の原因等）を表示するようにした。
【００１２】
【発明の実施の形態】
図１は本発明の一実施例による監視機器装置の概略構成を示すブロック図である。図１を用いて以下構成を説明する。１００は監視機器であり、監視機器の外部と内部の監視対象から監視情報を取得し、監視機器１００の管理者に監視対象の異常と異常状態に対する対処方法を表示部等に表示する。１０１は監視機器を制御するシステムマイコンであり監視機器１００全体を制御する、１０２はコントロール端子でありコントロール端子１０２を経由して外部の機器の監視情報はシステムマイコン１０１に伝えられる。
【００１３】
ここで示す実施例では１０個のコントロール端子が設けられている。コントロール端子１０２−１から１０２−４には４つのドアセンサ２０４−１から２０４−４から送られてくるアラーム信号が接続されている。１０２−１にはドアセンサ２０４−１から送られてくるアラーム１信号を接続し、１０２−２にはドアセンサ２０４−２から送られてくるアラーム２信号、１０２−３にはドアセンサ２０４−３から送られてくるアラーム３信号、１０２−４にはドアセンサ２０４−４から送られてくるアラーム４信号を接続する、１０２−５はアラーム信号用ＧＮＤ、１０２−６はアラーム信号がシステムマイコン１０１に入力された時に外部に出力するアラーム出力、１０２−７は機器の内部異常を出力する異常検知出力、１０２−８は監視機器１０１の内部に備えられたハードディスクレコーダーの記録可能な容量の残りが一定値以下になった時に外部に出力するハードディスクＦＵＬＬ出力、１０２−９は外部の機器の時計合わせに使うＣＬＫ（Ｃｌｏｃｋ）出力、１０２−１０はＧＮＤである。
【００１４】
１０３はテレビ等のモニターに文字や映像を表示する為のＯＳＤ（Ｏｎ  Ｓｃｒｅｅｎ  Ｄｉｓｐｌａｙ）表示回路、１０４は監視機器１００の前面に設けられた警告表示用ＬＥＤを光らせる為のＬＥＤ駆動回路、１０４−１は残量ＬＥＤであり点灯によりハードディスクレコーダーの記録容量の残り少ないことを示す、１０４−２はＰＣカードＬＥＤであり点灯によりＰＣカードが装着されていることを示す、１０４−３はアラームＬＥＤであり点灯により少なくともアラーム１信号からアラーム４信号のいずれかの信号が入力していることを示す、１０５−１は監視対象の異常あるいは監視機器１００の異常を音声で知らせるブザーであり、１０５はブザー１０５−１を駆動するブザー駆動回路、１０６は監視対象の映像信号等を記録再生するハードディスクレコーダーであり内部に信号処理部１０６−１とＣＰＵ（Ｃｅｎｔｒａｌ  Ｐｒｏｃｅｓｓｉｎｇ  Ｕｎｉｔ）部１０６−２と記録媒体を含むハードディスクドライブ（以下ＨＤＤと呼ぶ）１０６−３とＨＤＤの残り容量を検知する残量検出部１０６−４を有する、１０７はメモリであり監視機器１００の内部と外部の監視対象について異常状態発生時の異常表示の内容とその異常状態に対する対処方法を記憶している、１０８は外部カメラを駆動するカメラ駆動回路、１０９はＰＣカードスロットでありＰＣカードメモリを装着し該ＰＣカードメモリに各種の情報を記録し読み出すことができる、１０９−１はＰＣカードが挿入された事を検知するＰＣカードセンサ、１１０は使用者が監視機器１００の操作を行なう操作部である。監視機器１００には次の機器が接続されている、２０１は監視対象の映像や警告表示等を表示するためのテレビ（以下ＴＶと呼ぶ）であり、２０２−１から２０２−４は４台のカメラであり、それぞれ２０２−１はカメラ１、２０２−２はカメラ２、２０２−３はカメラ３、２０２−４はカメラ４である。
【００１５】
また、２０３−１から２０３−４はドアで、それぞれのドアにはドアセンサ２０４−１から２０４−４が一台づつ取付けられており、それぞれコントロール端子１０２−１から１０２−４を経由して４台のドアセンサ２０４−１から２０４−４のアラーム信号が監視機器１００接続されている。なお、ドア２０４−２から２０４−４とそれぞれのドアに取付けられたドアセンサ２０４−２から２０４−４については図１への記載を省いている。また２０５は異常警告燈でありコントロール端子１０２−８を経由して監視機器１００と接続されておりハードディスクレコーダー１０６の記録容量の残りが少なくなると点灯する。
２０６はＰＣカードメモリであり監視対象の映像情報やその他の監視情報を記録することができる。
【００１６】
図２は、本発明の一実施例による監視機器の正面図である。図２により監視機器１００に設けられた主な操作のための操作釦について概要を説明する。１２１はセキュリティナビゲーション（以下セキュリティナビと略す）釦でありブザー１０５−１等により監視対象の異常や監視機器の異常が管理人に知らされたときセキュリティナビ釦１２１を操作することにより異常状態に対する対処方法がＴＶ２０１に表示される、１２３はシャトルリングでありシャトルリング１２３により上記異常状態に対する対処方法等を示すメニューの選択ができる、１２４は戻る釦、１２５は決定釦であり、ともにメニューの操作用の釦である、１２６はメニュ−釦でありメニュー釦１２６を操作すると基本メニューが表示される。
【００１７】
次に監視対象の異常や監視機器の異常がブザー１０５−１やＬＥＤ１０４−１から１０４−３による警告表示やＴＶ２０１の画面上の警告表示により管理者に知らされた場合にセキュリティナビ釦１２１を操作することによる異常状態の対処について以下いくつかの例について詳細に説明する。
最初に、ドアセンサからアラーム信号が監視機器１００に入った場合について図１を用いて本発明の一実施例を説明する。
アラーム１信号は、ドアセンサ２０４−１に接続されている。ドアセンサはドアが閉まっている時はＧＮＤに接続されておりアラーム信号としてロウレベル「Ｌ」を出力する。一方ドアが開いた特には接続がＯＰＥＮとなりハイレベル「Ｈ」を出力する。今不審者がドア２０３−１を開けると、ドアセンサ２０４−１のアラーム信号「Ｈ」がコントロール端子１０２−１を経由して監視機器１００に入力される。一度入力されたアラーム信号は今不審者がドアを締めた後も継続して保持する様に動作させる。
【００１８】
コントロール端子１０２−１より入力されたアラーム１信号はシステムマイコン１０１に入力される。ここでシステムマイコン１０１は、アラーム１信号がコントロール端子１０２−１を経由してきたアラーム１信号であることを識別し信号レベルをハイレベル「Ｈ」と判定しブザー駆動回路１０５に起動信号を発生させブザー１０５−１を鳴らす。次にシステムマイコン１０１は、ＬＥＤ駆動回路１０４にアラームＬＥＤ１０４−３を点灯させるべき制御信号を発生させ、更にＯＳＤ表示回路１０３に指示しＴＶ２０１の画面上に「アラーム入力有り」と表示させる信号を発生させる。なお、アラーム信号の識別はシステムマイコン１０１に接続するシステムマイコンの端子番号で識別しても良いし、何らかの基準信号とのタイミングで識別してもよい。
【００１９】
この時、管理室にいた管理者が監視機器のブザー音を聞き取り何らかの異常が発生した事に気付き、この音を消そうとする。ブザー音を消すにはメニュー釦１２６を使う方法と、セキュリティナビ釦１２１を使う二通りの方法があり以下これらの操作方法を説明する。
【００２０】
始めにメニュー釦１２６を使う操作方法について図３を用いて説明する。メニュ−釦１２６を押すとＴＶ２０１の画面上に図３（ａ）に示す基本メニュー画面が現れる。ここでシャトルリング１２３を回し異常，警告設定までカーソルを移動すると図３（ｂ）画面になる。そこで決定釦１２５を押すと図３（ｃ）画面となりブザー停止のカーソル上で決定釦１２５を押すと図３（ｄ）画面が現れここで「ブザーを停止します」のメッセ−ジが表示され、決定釦１２５を押すことでブザーが停止する。
【００２１】
次にセキュリティナビ釦１２１を使用した二つ目の操作方法について図４を用いて説明する。この操作方法ではブザー音に気付いた管理者は最初にセキュリティナビ釦１２１を押す。するとＴＶ２０１に図４（ａ）画面が表示される。図４（ａ）画面には現在のアラーム状態の内容に関連した以下の３つの選択肢「ブザー停止」「異常警告表示を消去する」「アラームＬＥＤ消灯」が現れる。管理者はいまブザー音を消したいので「ブザー停止」を選択した状態で決定釦１２５を押すと図４（ｂ）画面が現れ「ブザーを停止します」と言う処理情報と「アラーム１が入力されました為、ブザーを鳴らしました」という原因の２つメッセージが現れる。これにより管理者は決定釦１２５を押しブザー音を停止させ、直ちにアラーム１信号を出力したドアセンサ２０４−１の周辺のカメラ映像をＴＶ２０１上で確認したり現場に行き状況の確認ができる。
以上のようにセキュリティナビ釦１２１を利用した方法ではメニュー釦１２６を利用した方法に比べ迅速な対応ができる。
【００２２】
ひき続き、セキュリティナビ釦１２１を利用してアラームＬＥＤ１０４−３を消灯する場合を説明する。セキュリティナビ釦１２１を押す。するとＴＶ２０１画面上に図５（ａ）画面が表示される。ブザーは先ほど停止した為、図４（ａ）画面のブザー停止項目は今回表示されない。つまり今異常を警告している項目のみが画面に表示される。今回はアラームＬＥＤ１０４−３を消したいので「アラームＬＥＤ消灯」にシャトルリング１２３を操作し選択すると画面は図５（ｂ）となる。そこで決定釦１２５を押すと図５（ｃ）の画面が現れ「アラームＬＥＤを消灯します」と言う処理情報と「アラーム１が動作しましたので、アラームＬＥＤを点灯しました」という原因の２つメッセージが現れる。これにより管理者は決定釦１２５を押しアラームＬＥＤ１０４−３を消灯させる事ができる。
更にＴＶ２０１の画面上に表示されている「アラーム入力有り」の表示を消す為には同様に「異常警告表示を消去する」を選択し、決定釦１２５を押すことで解決できる。
【００２３】
以上本実施の形態によれば、異常事態が発生した際、今の異常を警告している項目のみがＴＶ２０１に表示される為、監視機器に不慣れな人でもセキュリティナビ釦１２１を押せば解決出きる為、非常に便利である。ここでは、アラームＬＥＤの消灯とＴＶ２０１の異常警告表示の消去を分けて実施しているがいずれかの操作で同時に実施してもよい。
【００２４】
以上は操作手順の観点から主に説明したので次に図６に示すフローチャートを用いて、ドアセンサ２０４−１が反応してブザー１０５−１が鳴り管理者がセキュリティナビ釦１２１を操作してブザーを停止させるまでを動作を以下詳しく説明する。
【００２５】
ドア２０３−１が開くとドアセンサ２０４−１はドア２０３−１が開いたことを検出し、アラーム１信号を出力する（ステップＳ６０１）、次にコントロール端子１０２−１を経由してシステムマイコン１０１に送られたアラーム１信号をシステムマイコン１０１が検出し（ステップＳ６０２）、システムマイコン１０１はアラーム１信号を認識し、アラーム１信号が入力時のシステムマイコン１０１がすべき対応を示すプログラムをメモリ１０７から読取り（ステップＳ６０３）、システムマイコン１０１はブザー駆動回路１０５に指示しブザー１０５−１を鳴らす（ステップＳ６０４）。
【００２６】
ブザー音に気付き管理者はセキュリティナビ釦１２１を押す（ステップＳ６０５）と、システムマイコン１０１は読取ったプログラムに従って、「ブザー停止」「異常警告表示を消去する」「アラームＬＥＤ消灯」の項目を表示する（ステップＳ６０６）。管理者が決定釦１２５を押すと（ステップＳ６０７）、処理内容である「ブザーを停止します。」とアラームの原因である「アラーム１が入力された為、ブザーを鳴らしました。」の項目を表示する（ステップＳ６０８）、次に管理者が決定釦１２５を押すと（ステップＳ６０９）、ブザーが停止する（ステップＳ６１０）。
【００２７】
次に監視対象を撮像するカメラ２０２−１の映像信号が検出できない場合についての異常の表示とその対処方法について説明する。
監視機器１００は内部にハードディスクレコーダー１０６を備えており外部の４台のカメラ２０２−１から２０２−４から送られてくる映像を記録できる。カメラからの映像信号は、カメラ駆動回路１０８に入力されている。なんらかの理由によりカメラ２０２−１のケーブルが切断されたり、故障したりして映像信号が途絶えるとカメラ駆動回路１０８は、映像信号の有無を判断し、どのカメラからの映像信号が検出されないかについての情報をシステムマイコン１０１に入力する。この場合システムマイコン１０１は、ＯＳＤ表示回路１０３に「カメラ入力ロスト」の表示をＴＶ２０１の画面上に表示させる制御信号を発生させ、さらにブサー回路１０５にブザーを駆動させる信号が出力させ、ブザー１０５−１が鳴る。
【００２８】
ここで管理者がセキュリティナビ釦１２１を押すと図７画面（ａ）が現れる。まずブザーを消す為に決定釦１２５を押すと図７画面（ｂ）が現れ「ブザーを停止します」と「カメラ入力信号が切断されています。カメラに異常があるか、ケーブルが切断してないか確認してください」が表示され原因を管理者に知らせる。そこで管理者が決定釦１２５を押すとブザー音が停止する。
【００２９】
次に「カメラ入力ロスト」の異常警告表示を消す為にセキュリティナビ釦１２１を押すと図８の画面（ａ）が現れる。カメラから送られてくる映像信号の欠落は監視機器においては重大な異常である為、ここで決定釦１２５を押すと図８画面（ｂ）が現れ「カメラ入力ロスト表示は、カメラ入力信号が接続されると、自動的に消えます。」と表示される。
【００３０】
次に監視機器１００の内部に異常が検出された場合についての異常の表示とその対処方法について説明する。監視機器１００に内蔵されたハードディスクレコーダー１０６にカメラから送られて映像信号を記録するときは、信号処理回路１０６−１で映像信号を記録に適したデジタル信号に変換し、ＣＰＵ部１０６−２でＨＤＤ１０６−３を制御し記録する。
【００３１】
ハ−ドディスクレコーダー（以下ハードディスクと呼ぶ）１０６に記録できる映像のデータ量はそのハ−ドディスク１０６の記憶容量に比例する。又ハードディスク１０６内の残量検出部１０６−４の出力から得られるハードディスク１０６の残量情報は、随時システムマイコン１０１に入力されている。ハードディスク１０６の記憶容量の残量がある一定値以下（ここでは１０％以下）になったことをシステムマイコン１０１が認識すると、システムマイコン１０１はハードディスク１０６の記憶容量の残量が少なくなったときにすべき動作が記録されたプログラムをメモリ１０７から読込み、次の動作を行なう。
【００３２】
ハードディスク１０６から得られる残量情報より、その残量が１０％以下になるとシステムマイコン１０１は、ＬＥＤ駆動回路１０４に記憶容量の残りが少ない事を表示する残量ＬＥＤ１０４−１を点灯させると共に、コントロール端子１０２のハードディスクＦＵＬＬ１０２−８に「Ｈ」を出力し、コントロール端子１０２−８に接続された異常警告燈２０５等の外部警告装置により異常状態を外部に警告し、更にブサー回路１０５にブザーを駆動させる信号を出力する。
【００３３】
ここで管理者がセキュリティナビ釦１２１を押すと図９の画面（ａ）が現れる。まずブザーを消す為に決定釦１２５を押すと図９画面（ｂ）が現れ「ＨＤＤの残りが１０％以下になりました」が表示され原因を管理者に知らせる。更に決定釦１２５を押すとブザー音が停止する。次に異常警告燈２０５を消す為にセキュリティナビ釦１２１を押すと、図１０の画面（ａ）が表れる。「異常警告表示を消去する」で決定釦１２５を押すと図１０画面（ｂ）が現れ「異常警告表示を消去する為次のどちらかをおこなってください」と表示がでる。ここでは表示を消すだけではハードディスクの残量に変化が起きないため具体的に次のような表示が更に現れる。
【００３４】
「ＨＤＤに上書きしますか？」「ＨＤＤを交換しますか？」、ここで図１０画面（ｃ）のように上書きを選び決定釦１２５を押すと「上書きモードにすると今までの古い記録が消去されます」との警告が出る。一方、ハードディスクを交換する方を選んだ場合は、その交換方法が表示される。このように動作する事により、ハードディスクの残量が少なくなった時にも適切な対応が出来る。
【００３５】
以上は外部機器もしくは監視機器１００の内部に何らかの異常状態が発生した場合のセキュリティナビ釦１２１を利用した対処方法の動作を説明したが、次に通常状態の場合での使い方を説明する。
ＰＣカードメモリ（以下ＰＣカードと呼ぶ）２０６はハードディスク１０６内に記録された映像情報を保存したり、他の監視機器装置で保存した映像情報を再生する為のツールである。図１１を用いて昨日の午後１０：００から午後１１：００の記録をＰＣカード２０６に保存する場合について説明する。
【００３６】
管理者が監視機器１００のＰＣカードスロット１０９にＰＣカード２０６を挿入すると、ＰＣカードセンサ１０９−１が動作しＰＣカード２０６が装着された事をシステムマイコン１０１が認識する。そこでセキュリティナビ釦１２１を押すと図１１の画面（ａ）が現れ、「映像を保存する」「ファイルを再生する」の２つの選択肢が現れる。そこで図１１画面（ｂ）にてシャトルリング１２３で「映像を保存する」を選択し、決定釦１２５を押すと映像信号をＰＣカード２０６に保存する手順を示すアップロード画面が図１１画面（ｃ）が現れる。管理者はこの項目に沿って操作を行なう。
【００３７】
まず、「ＰＣカードが挿入されているか確認してから再生釦を押してください」がＴＶ２０１に表示されるので再生釦１２２を押す。次に「アップロードしたい時間帯の最初の映像で静止釦を押してください」に従い昨日の午後１０：００の部分で静止釦１２７を押す。次に「アップロード釦を押してください」に従いアップロード釦１２８を押す。「再生釦を押してアップロードしたい時間帯の最後の映像で静止釦を押してください」に従い、午後１１：００の部分で静止釦１２７を押す。「アップロード中です  ０％」が表示され、０％〜１００％までカウントアップしてゆき１００％になった時に「終了しました。ＰＣカード取りだし釦を押してＰＣカードを静かに取り出してください」の表示に変わり、ＰＣカードを抜き取る。以上のようにＰＣカード２０６にハードディスク１０６内に記録された映像情報を保存することができる。
【００３８】
今までの説明でドアセンサからのアラーム信号が入力した場合やカメラから映像信号が送られてこないという異常状態やハードディスク１０６の残量が少なくなった場合の異常時あるいはＰＣカードの装着時にセキュリティナビ釦１２１を押した時の対応について説明した。ここでは上記の各監視事象についての監視情報をシステムマイコン１０１がどのようにして読取るかについて図１２のフローチャートを用いて説明する。
【００３９】
システムマイコン１０１は、短い周期ここでは約１０ｍｓｅｃの周期で繰返し各種の監視情報を監視し、その結果をメモリ１０７に保持している。ステップＳ１２０１ではドアセンサから送られてくるアラーム信号があるかどうかを判別する。入力がある場合はアラーム情報を取得しメモリ１０７にその情報が保持される（ステップＳ１２０７）、アラーム情報は、４つのドアセンサから送られてくるアラーム１信号からアラーム４信号まで個別に判定してメモリ１０７に保持され次のステップに移る。一方、アラーム情報が無い場合は、直ちに次のカメラ映像判定（ステップＳ１２０２）に移り、各カメラの映像信号がカメラ駆動回路１０８に送られてきているか否が判別される。
【００４０】
映像信号がない場合はどのカメラの映像信号が欠落しているかを示す映像信号欠落情報を取得しメモリ１０７にその情報が保持され（ステップＳ１２０８）次のステップに移る。一方、映像信号がある場合は直ちに次のハードディスク１０６の残量判定ステップＳ１２０３に移る。ハードディスク１０６の記憶容量に残量があるかどうかを判別し、残量がない場合はハードディスク１０６残量情報を取得し（ステップＳ１２０９）メモリ１０７にその情報が保持され次のステップに移る。ハードディスク１０６に残量がある場合は直ちに次にＰＣカードの装着の有無判定が行なわれる（ステップＳ１２０４）、ＰＣカードが装着されている場合はＰＣカード装着情報を取得し（ステップＳ１２１０）メモリ１０７にその情報が保持され次のステップに移る。
【００４１】
一方、ＰＣカードが装着されていない場合は直ちに次のセキュリティナビ釦１２１入力判定ステップに移り、セキュリティナビ釦１２１入力があるかどうかを判別する（ステップＳ１２０５）。セキュリティナビ釦１２１が押されたことが検出されセキュリティナビ釦の入力がありと判別されると、図３〜１１に示すようにそれぞれの監視対象ごとに予め定められた対応手順が表示され、管理者は表示された対応手順に従い対応処理（ステップＳ１２１１）を実行する。対応処理が実行された時点でメモリ１０７に保持された対応処理を受けた監視対象の情報は消去される。一方セキュリティナビ釦１２１入力が無い場合は先頭のステップＳ１２０１に戻り監視を続ける。
【００４２】
以上述べたように、本発明によれば、異常検知手段が監視装置の監視対象の異常を検知したときブザー等により管理者に異常を知らせると、管理者は監視機器のセキュリティナビ釦を押すことにより現在発生している異常状態についての情報とその異常状態に対する対応情報を直ちにＯＳＤ等に表示しその表示されたメニューに従い操作することで、異常状態に対して迅速な対応ができる。
【００４３】
【発明の効果】
本発明によれば、異常状態が発生したとき、使い勝手良く、異常状態に対して迅速な対応をすることができる。
【図面の簡単な説明】
【図１】本発明の一実施例によるセキュリティーナビゲーション搭載機器実施の形態を示す構成図である。
【図２】セキュリティーナビゲーション搭載機器の操作釦を示す図である。
【図３】本発明の一実施例によるセキュリティーナビゲーション搭載機器における外部異常発生時の対処方法を示すＯＳＤ表示画面図その１である。
【図４】本発明の一実施例によるセキュリティーナビゲーション搭載機器における外部異常発生時の対処方法を示すＯＳＤ表示画面図その２である。
【図５】本発明の一実施例によるセキュリティーナビゲーション搭載機器における外部異常発生時の対処方法を示すＯＳＤ表示画面図その３である。
【図６】本発明の一実施例によるセキュリティーナビゲーション搭載機器におけるマイコンのフローチャートである。
【図７】本発明の一実施例セキュリティーナビゲーション搭載機器における内部異常発生時の対処方法を示すＯＳＤ表示画面図その１である。
【図８】本発明の一実施例によるセキュリティーナビゲーション搭載機器における内部異常発生時の対処方法を示すＯＳＤ表示画面図その２である。
【図９】本発明の一実施例によるセキュリティーナビゲーション搭載機器における通常時の対処方法を示すＯＳＤ表示画面図である。
【図１０】本発明の一実施例によるセキュリティーナビゲーション搭載機器における内部異常発生時の対処方法を示すＯＳＤ表示画面図その３である。
【図１１】本発明の一実施例によるセキュリティーナビゲーション搭載機器におけるＰＣカードメモリの記録動作の説明図である。
【図１２】本発明の一実施例によるセキュリティーナビゲーション搭載機器におけるマイコンの別のフローチャートである。
【符号の説明】
１００…監視機器、１０１…システムマイコン、１０２…コントロール端子
１０３…ＯＳＤ表示回路、１０４…ＬＥＤ駆動回路、１０４−１…残量ＬＥＤ
１０４−２…ＰＣカードＬＥＤ、１０４−３…アラームＬＥＤ、１０５…ブザー駆動回路
１０５−１…ブザー、１０６…ハードディスクレコーダー、１０６−４…残量検出部
１０７…メモリ、１０８…カメラ駆動回路、１０９…ＰＣカードスロット
１１０…操作部、１２１…セキュリティナビ釦、１２３…シャトルリング
１２４…戻る釦、１２５…決定釦、１２６…メニュー釦
２０１…テレビ、２０２…カメラ、２０４…ドアセンサ、２０５…異常警告灯
２０６…ＰＣカードメモリ
【図１】
2004265180.tif 000003
【図２】
2004265180.tif 000004
【図３】
2004265180.tif 000005
【図４】
2004265180.tif 000006
【図５】
2004265180.tif 000007
【図６】
2004265180.tif 000008
【図７】
2004265180.tif 000009
【図８】
2004265180.tif 000010
【図９】
2004265180.tif 000011
【図１０】
2004265180.tif 000012
【図１１】
2004265180.tif 000013
【図１２】
2004265180.tif 000014